(57)【要約】【課題】  従来のフード付きアウターウェア等のフードは、雨天時の自転車走行等において、前方からの風雨による「フードの脱げ」「目元の濡れ」に対する機能が不十分であった。また、その機能を補填するための装置や防雨具が着用時の見た目を損ね、携帯にも不便であった。【解決手段】  フード付きアウターウェア等のフード上部内側に、目元に装着されるメガネとフード上部とを着脱自在に固定する保持具を設けた。これにより、メガネによってフードが頭部に被着した状態で固定され、且つ目元への雨をメガネのレンズで防ぐことができ、着用時の見た目と携帯性の問題を解決する事ができる。【選択図】  図５
2018188766.tif 000002
【特許請求の範囲】
【請求項１】
前面に顔を露出する為の開口部を有するフード本体部と、目元に装着されるメガネを、前記メガネを着脱自在に前記フード本体部の前記開口部の上部内側に保持する為の、前記メガネ用保持具とを備えてなるフード。
【請求項２】
前記保持具の前記メガネに対する保持位置が、前記フード本体部前記開口部の上部内側と、前記メガネとの視界を妨げない少なくとも一箇所である請求項１に記載のフード。
【請求項３】
前記メガネ用保持具の表面の一端部が、前記フード本体部の前記開口部の上部内側に対して固着されている、又は着脱可能に取り付けられている請求項１に記載のフード。
【請求項４】
前記保持具の裏面の一端部と他端部に、前記メガネに対し取り外し可能となる、前記一旦部と前記他端部をループ状に曲げた際の対向部に、前記他端部が前記一端部に対する固定位置が調節自在で且つ着脱可能に固定する係止部が設けられている、請求項１に記載のフード。
【請求項５】
前面に顔を露出する為の開口部を有するフード本体部と、目元に装着されるメガネを、前記メガネを着脱自在に前記フード本体部の前記開口部の上部内側に保持する為の、前記メガネ用保持具とを備えてなる請求項１に記載の前記フード本体部を備えてなるアウターウェア。
【請求項６】
目元に装着されるメガネを、前面に顔を露出する為の開口部を有するフード本体部の前記開口部の上部内側に対し、視界を妨げない少なくとも一箇所において保持する為の、フード用メガネ保持具。
【請求項７】
帯状または紐状から成り、表面の一端部に、前記フード本体部の前記開口部の上部内側に対して固着する為の、固着部が設けられている請求項６に記載のフード用メガネ保持具。
【請求項８】
裏面の一端部と他端部をループ状に曲げた際の対向部に、前記一旦部と前記他端部をループ状に曲げた際の対向部に、前記他端部が前記一端部に対する固定位置が調節自在で且つ着脱可能に固定する係止部が設けられている、請求項６に記載のフード用留め具。
【請求項９】
前記保持具が、前記フード本体部の前記開口部の先端を保持する為の第一保持部と、前記メガネを保持する為の第二保持部によって構成され、前記保持具の第一及び第二保持部がクリップ式である請求項６に記載のフード用メガネ保持具。  
【発明の詳細な説明】
【技術分野】
【０００１】
本発明は、頭部と目元の防雨機能を備えたフード及びフード付きアウターウェアと、それらに用いるフード用メガネ保持具に関するものである。
【背景技術】
【０００２】
現在市販されているフード付きアウターウェア、主にレインウェアは、デザインや素材や機能性など様々な改良が施されている。しかし、フード部分に関しては、単に襟元にフードが付いているものと、フードが脱げぬよう顔周りを紐で絞って固定するものにとどまっていた。
【０００３】
また、雨天時の自転車走行者用には、図１８に示すように、顔周りを紐で絞って固定するフード部分に、さらに顔面に対する雨を防ぎ、視界を確保する為の透明なビニール素材やプラスチック板から成る庇部付きのレインウェアがあった。
【０００４】
その他には、特許文献１、２に示すように、野球帽等の鍔付き帽子を被った上で、フードを固定するレインウェアや、撥水加工が施してあり風で飛ばぬよう付属の紐で首元を絞って固定できる、晴雨兼用のハットがあった。他にも、自転車のハンドル部分に傘の柄を取り付けられる固定器具があり、走行中に傘を差した状態での両手運転が可能となり、買い物時に自転車を利用する主婦層を中心に使用されていた。
【０００５】
また、顔面に対する防雨対策としては、図１９に示すように、顔の額部分に装着し、顔全体を覆う雨用バイザーがあり、前記で述べたフード脱げ防止紐付きレインウェアと併用されていた。また、バイク用には、雨や雪、塵などの飛来物を防ぐための、伸縮性バンドで目元に固定されるゴーグルがあり、ヘルメットと併用されていた。
【先行技術文献】
【特許文献】
【０００６】
【特許文献１】特開２００３ー１６６１０５
【特許文献２】特開２００７ー２５４９３８
【発明の概要】
【発明が解決しようとする課題】
【０００７】
近年フード付きアウターウェア、特に「レインウェア」の需要が、一昔前の機能性に特化した製品とは別に、自転車や、ランニング、トレッキング、登山、スノーボード、スキー、釣り、野外ライブ・フェス等の「アウトドアアクティビティ」が若者を中心にファッション化するに伴い、先に流行し女性の間では雨天時の定番とまでなった「レインブーツ（長靴）」の後を追うように、見た目のデザイン性・ファッション性に重点を置くものが急速に市場に出回り、年々売り場を拡大している。
【０００８】
さらに、各国において自動車による交通死亡事故削減や、ＣＯ２削減、生活習慣病予防の観点から積極的な自転車政策がなされており、雨天時の自転車走行に最も適した「レインウェア」の需要が拡がっている。
【０００９】
その上、国内においては２０１５年６月に施行された道路交通法改正に伴い、自転車走行時の傘差し運転が禁止となった。それを受け、警視庁のガイドラインによる傘差し固定器具への注意喚起があり、いずれも安全面に優れた「レインウェア」の着用が推奨され、需要を後押ししている現状がある。
【００１０】
しかし、実際の自転車利用者の中には、雨天時のレインウェアの着用に対して「ダサい」「恥ずかしい」「面倒くさい」等の意見も多く、結果としてレインウェアの着用を避ける事となり、徒歩や他の交通手段を利用していた。しかし、中には従来通りに傘を使用するケースもあり、その危険性によって法律で禁止事項となった「傘差し運転」が未だ後を絶たない。
【００１１】
一方で、自転車走行時に両手が使え、安全で便利であるはずのレインウェアの着用を避ける原因の一つに走行中の「フードの脱げ」がある。また、それを補うための従来の防雨機能や防雨具に、自転車利用者にとっての「ダサい」「恥ずかしい」「面倒くさい」と言われる要素があると考えられ、以下にそれらの問題点を述べる。
【００１２】
前記の通り、従来のフード付きアウターウェアである、レインウェア等のフード部分の機能は主に二分化している。そのうち、単に襟元にフードが付いているだけのものは、雨天の自転車走行等の着用時には簡単にフードが脱げてしまい、頭部が濡れ、フード本来の意味をなさない。また、脱げたフードを何度も被り直したり、フードが脱げぬよう片手で押さえていなければならず、非常に不便であり、雨や雪が直接目元にかかり視界が悪い上に、地面がスリップしやすい状況での片手運転は大変危険であった。
【００１３】
他にも、コンタクト使用者にとっては、前方からの風雨や雪が目に入りコンタクトが浮き上がることがあり、位置がずれる、外れる等大変不便であった。さらに女性の場合は、目元が濡れることによってアイメイクが落ち、マスカラ等で目の周りが黒く滲んでしまう等の問題があった。
【００１４】
しかし、最近多く出回るようになったデザイン性やファッション性を重視したレインウェアのフードが、概ねこのタイプである。そのため購入者はレインウェアのデザイン性やファッション性を重視して購入しているにも関わらず、結果として着用時には後述に示すような図１９等のファッション性を損ねる防雨具を併用する必要性が出てくる。
【００１５】
一方で、着用時の機能性を重視し、風で脱げぬようフードの顔周りを紐で絞るものは、頭部は濡れないが前記フードと同じく顔は露出している為、直接雨が目にかかるという前記フードと同じ問題があった。また、着用時にフードの顔周りを紐で絞った隙間から顔が覗く状態が、非常に不恰好であるという見た目の問題があった。
【００１６】
次に、前記図１８で示したように、顔周りを紐で絞って固定するフード部分に、顔面への防雨と視界を確保する為の、透明なビニール素材やプラスチック板から成る庇部付きのレインウェアも、同じく顔周りを紐で絞る為、装着時の見た目の問題があった。その上、雨の強さや風向きによっては、庇の下から雨が吹き込み肝心の目元が濡れたり、目を細めて運転する事があった。さらに、目と離れた場所で雨を遮っているため、視線がビニールやプラスチック製の透明の庇部に付着した水滴を捉えてしまう為、いくら庇部が透明であっても、付着した水滴越しでは前方の見通しが悪くなる。  
【００１７】
次に、特許文献１のように、フードの固定に使用される野球帽等の鍔付きの帽子は、まず帽子自体を風で飛ばぬよう深く被る必要があり、脱いだ際に髪に痕が付く、前髪が潰れる等の問題と、鍔付きの帽子を携帯する不便さとがあった。さらに特許文献２に関しては、帽子が濡れるのを防ぐ為、鍔の先端までフードを被せて固定する為、左右の視界を塞ぐことになり、大変危険である。また、晴雨兼用の撥水性ハットも、上記の問題の他、使用後の濡れた帽子を携帯する不便さがあった。
【００１８】
次に、自転車のハンドル部分に取り付ける傘さし固定器具に至っては、使用時に傘を広げて固定した状態が、既に法律で定められた自転車の積載物の許容サイズを超えている。走行時に傘が歩行者や車、電柱等に接触する危険があり、他にも傘が視界を妨げ、風に煽られる等問題点も多く、都道府県によっては既に禁止されている。その上、傘をわずかに前傾させて取り付けるため、後頭部や背中が濡れる事や、ハンドル部分に常時３０センチ程の棒状の突起物を付けておかねばならない問題もあった。
【００１９】
次に、図１９に示したように、額部に装着し、顔全体を覆うプラスチック製の雨用バイザーは、顔面への防雨にはなるが、当然バイザー自体のサイズが大きくなる。それによって装着時の見た目の不自然さが著しく、顔全体を覆う圧迫感や、呼吸時の曇り、携帯時にも嵩張る等の不便があった。
【００２０】
その他、バイク用等で目元に使用されるゴーグルは、雨や雪を防ぐだけでなく、転倒時等の衝撃から目を保護するためにフレーム部が大きく、内側にはクッション部が付いており、厚手で頑丈に作られている。その為バイク用のヘルメットと併用したり、スキーやスノーボードの際に身につけるには向いているが、やはり自転車走行時に装着するには見た目にも大層で、携帯にも嵩張り不向きであった。
【００２１】
以上に示すように、既存の頭部や目元に対する防雨対策は、顔面をすっぽりと覆うバイザー以外は、頭上で雨を遮る構造が多い。しかし、特に自転車走行においては風や走行スピードによる前方から吹き込む雨や雪の影響を重視した目元の防雨対策が必要となる事や、防雨具の形状による携帯性の問題、さらには装着時の見た目のファッション性が考慮されてい等、上記の物では不十分であった。
【００２２】
現在、様々な分野で求められるようになったデザイン性やファッション性、さらには携帯性が、レインウェアの「フード部分」の防雨機能において、利用者のニーズに応えられておらず、レインウェア全体の問題として残されていた。
【００２３】
本発明は、このように従来にあった問題を解決する為に、レインウェア等のフードが本来の防雨機能を果たすと「同時」に、目元に直接かかる雨を防いで視界を確保し、装着時の見た目と携帯性を考慮したフード付きアウターウェアの改良を実現する事を目的とするものである。
【課題を解決するための手段】
【００２４】
本発明は、上記課題を解決するために、前面に顔を露出する為の開口部を有するフード本体部と、目元に装着されるメガネを、前記メガネを着脱可能に前記フード本体部の前記開口部の上部内側に保持する為の前記メガネ用保持具とを備えてなるフードを提供するものである。
【００２５】
ここで、「フード」とは、頭部に被着され、顔が露出されるよう開口部を有しているものである。主に上着や衣類等の襟部に使用され、襟部から取り外しできるものであっても良い。また、「メガネ」とは、一般的なメガネを指しており、主にレンズ部、ブリッジ部、アーム部等によって構成されるものであれば良い。また、前記レンズ部は度入り、度なし、色付き、でも良い。中には同じ形状で、「ゴーグル」という名称で呼ばれているものもある。
【００２６】
前記フード本体の開口部の「上部」とは、頭部に前記フード本体を被着した時の、顔面の額からこめかみ辺りまでの部分を指す。また、前記フード本体の開口部の「内側」とは、前記で示した前記フード上部の額側に面する部分のことである。
【００２７】
また、請求項２の、「視界を妨げない少なくとも一箇所である」と示す前記フード保持具の前記メガネに対する保持位置とは、前記メガネのブリッジ部の一箇所、両アーム部の二箇所、ブリッジ部と両アーム部の３箇所の内のいずれかである事を指す。
【００２８】
また、請求項３の、前記メガネ用保持具の「表面」と表すのは、前記メガネ用保持具が、表と裏で二つの違う作用を有しているからである。そのため、一方の面を前記「表面」とし、前記フード本体部と前記メガネ用保持具の固着面を表しており、ここでの「固着」とは、主に縫製や接着等によって、前記フード本体部の前記開口部の上部内側に完全に固定されていることを示す。
【００２９】
また、「着脱自在」とは、前記フード部に対して前記メガネ用保持具が前記フード本体部の前記開口部の上部内側に対し、例えば面ファスナー等のような着脱自在な係止部によって取り外し可能に固定されていることを示す。
【００３０】
また、請求項４の前記保持具の「裏面」とは、前記で示す「表面」が、前記フード本体部と前記メガネ用保持具の固着面を表しているのに対し、前記「裏面」では、前記メガネ用保持具上において、前記一端部と前記他端部の固定位置を調節自在に選択できると共に、前記メガネを着脱自在に保持する係止部が設けられていることを示す。この場合、最も適しているのが面ファスナーである。
【００３１】
また、請求項５の「フード付きアウターウェア」とは、フードを有する衣類のことである。主に防雨、防風、防寒、日よけ用の上着であり、フード部分が取り外し可能であっても良い。
【００３２】
また、請求項６は、表面の一端部に、フードの開口部の上部に取り付け可能な固着部が設けられている、フード用メガネ保持具単体を表しており、メガネ用保持具付きでないアウターウェア等のフードに取り付ける為のものである。
【００３３】
請求項９の「第一保持部」とは、前記フード本体部の前記開口部の上部をクリップ式にて保持する。その際の保持位置は、前記フードを被着した時の、前記フード本体部の開口部の上部の、顔面の額からこめかみに至る部分までの、視界を遮ることのない一箇所から複数箇所のことである。また、前記「第二保持部」は、第一保持部と同様にクリップ式にて前記メガネを保持する。その際の保持位置は、前記メガネのブリッジ部、両アーム部、両レンズ部の各アーム部からブリッジ部に至るまでの上部、及びブリッジ部と両アーム部の内、一箇所から複数箇所のことである。
【発明の効果】
【００３４】
上述したように、本発明のレインウェア等のアウターウェアの「フード」は、フード上部内側に固着された「メガネ用保持具」によって、目元に装着され鼻梁と両耳元において確実に固定される「メガネ」を保持する事が可能となる。目元に最も密着し、風の抵抗を受けにくく、確実に固定された「メガネ」をフードの内側で保持する事によって、フードが脱げないだけでなく、フード先端部の内側にメガネのレンズ上部が収まり、目元への雨を完全に防ぐ事ができる。それによって、従来の庇部のように風向きや雨の強さによって雨が目元に吹き込む事や、目を細めながら運転する必要もなくなる。
【００３５】
さらに、目元に密着した硬性のレンズ部により、付着した水滴の合間から前方を見通すことが可能となり、目元と離れた場所に設けられた従来の透明なビニールやプラスチック性の庇部越しの視界に比べ、良好な視界を確保する事ができる。また、目元の防雨具がメガネである事によって、撥水加工が施されているレンズの使用や、市販されているメガネ専用の撥水用や曇り止め用スプレー等を使用すれば、レンズに対する撥水効果をさらに上げる事も可能である。
【００３６】
前記構成によって、従来のようにフードや自転車のハンドルに、透明の庇部や鍔付きの帽子やバイザー、固定器具等、見た目を損ね携帯に嵩張る等の余分な製品を使用することなく、良好な視界を確保し、防雨装置の簡略化をはかることができ、着用時の見た目もすっきりする。
【００３７】
さらに、保持具がメガネを着脱自在に保持するため、不使用時にはメガネを取り外しておくことができる。その際メガネはアーム部分を折りたたんでレインウェア等のポケットに収納する事ができるため、従来の雨用バイザーや雨用ハット等と比べ、最も携帯性に優れており、常時レインウェア等のポケットに携帯しておけば持ち出し忘れや紛失を防ぐ効果もある。
【００３８】
また、本発明のメガネ用保持具に使用されるメガネは、専用の形状である必要がなく、一般的なメガネの形状に対応できるため、使用者は市販されている１００円代から手に入るメガネや、手持ちのメガネを活用することができる。よって、不要なコストがかからず、またメガネのデザインや色、レンズの補正機能や伊達メガネやサングラスなど、使いやすさや自分の好みに合ったものを選択することができる。
【００３９】
以上に述べたように、本発明によるレインウェア等のフードにメガネを固定可能にするメガネ用保持具を備えることによって、「メガネ一つ」で、メガネ本来の機能とは違う効果である、「フードを固定する為の重石代わり」と、「雨天時の目元の防雨具」としての二つの機能を同時に得ることができる。また、保持具自体もフード内部に固定されており雨に濡れにくく、保持具をフード本体部と同じ素材や色を使用すれば、目立つ事もない。よって、従来のフードに設けた透明な庇部のようにフードの外観を損ねる事なく防雨効果を得る事ができる。
【００４０】
すなわち本発明のフードによって、雨天時のレインウェア等のフードや着用時の姿を、よりシンプルに違和感なくまとめることが可能となる。本発明のレインウェアの着用時は、見た目には使用者がフードをかぶり、メガネをつけている姿にすぎない。しかし実際には、フードの内側にフードとメガネを固定させるためのメガネ用保持具が備えられており、フードが脱げず、目元に雨や雪が入り込まない仕組みになっている。よって見た目のファッション性を損なうことなく、従来の防雨機能の改良を実現され、雨天時の自転車走行等における「レインウェアの新しいスタイル」を与えるものである。
【００４１】
次に、請求項２によれば、フードとメガネを、前記メガネの形状を利用して、メガネのブリッジ部、アーム部等において、目と目の間と、目元の両端において視界を遮ることなく保持することができる。さらにブリッジ部またはアーム部は、メガネのレンズ部に対し中央より上方に構成されているため、フードが目線の位置より上部で保持される事となる。それによって、フードが目線に被さる事なく良好な視界を確保することが可能となる。
【００４２】
また、フードが保持具によってブリッジ部やアーム部に保持されている事で、「顔面」ではなく「目元」においてフードを固定することが可能となり、左右や後方確認する際に、フードが目元の動き連動し、従来にあったフードの側面によって視界が遮られることを防ぐ。なお、その時保持具の取り付け位置を、フードの先端部より上方奥側にずらすことで、額に対するフードの先端部に庇部を形成することができる。さらに、保持具がブリッジ部を保持する事で、メガネのブリッジ部の凹状の隙間を保持具で埋めることができ、より目元への防雨が増す効果もある。
【００４３】
請求項３によれば、固着すれば確実な固定が得られ、着脱可能にすれば、保持具が劣化した際等に付け替えることができる。
【００４４】
また、請求項４によれば、保持具の固定位置が調整自在で、且つ着脱可能である面ファスナー等の係止部が設けられていることによって、様々なフードやメガネの形状に関わらず、フードをメガネのブリッジ部やアーム部と並行するレンズ上部に被さるようにフードを前方へ引きおろして固定する事ができる。それによって、フード先端の内側にメガネが重なるように固定され、フードとメガネの間に隙間を作る事なくフードを保持することができる為、雨や雪はフードとレンズ部に遮られ、頭部から目元のレンズ下部までが濡れずに済む。特に女性においては、頭部から目元まで確実に雨が遮られている事は非常に重要であり、通勤時や子供の送迎時等にアイメイクの崩れを気にする必要がなくなり、雨天時の自転車走行が非常に快適なものになる。
【００４５】
また、面ファスナー等による係止部によって保持具が確実に固定されているため、固定された位置より下方にフードが下がってくる事はなく、視界を安定して確保することができる。
さらにはその係止部によって、不使用時の保持具をフード内側に密着させて収納できるため、フードの外観に影響を与える事なく、また保持具が邪魔になる事もない。また、保持具の固定方法が面ファスナー等の係止部による非常に単純な構成であるため、取り付けに簡単で、子供からお年寄りに至るまで使用者を選ばない。
【００４６】
また請求項５においては、フードつきアウターウェアの生産者側に対し、本発明のメガネ用保持具は単純な構造で、レインウェアやフード付きアウターウェア等を製造する際の端材や部材によって製造でき、ウェア本体のデザイン変更なく、フード本体部にメガネ用保持具を取り付けるだけで、フード及びフード付きアウターウェアの防雨機能を非常に低いコストで改良する事ができる。
【００４７】
また、請求項６から８に記載の本発明のフード用メガネ保持具によれば、フード自体に防雨機能のない従来のレインウェアに対しても、使用者が自ら本発明の効果を実施することが可能となる。
【００４８】
また、構成が単純であり、保持具本体や係止部用の部材には、大量生産され一般的に流通されている部材を使用することができる為、生産者側にとって、コストがかからず、その上形状も小さく軽い為、出荷や保管に場所をとらず大量生産、大量出荷することが可能である。同時にそれらの要素は販売者側においても大きなメリットである。
【００４９】
また、請求項６、９に示す保持具は、フード本体部に固着させる必要がないので、その場ですぐ取り付けが可能であり、不使用時にはフード本体部と保持具とを分離した状態で携帯することができる。
【００５０】
以上に示す本発明の請求項２から９によって、従来のフード付きアウターウェア、主にレインウェアの着用時や携帯時にあった問題を解消することができる。また、本発明は使用者によって様々な実施形態をとることが可能であり、その事によって、レインウェア等のフード付きアウターウェアを選ぶ際、着用時の頭部や目元の防雨効果を気にする事なく、デザインや機能など、自分の好みに合ったものを選択でき、購入時の選択肢を拡げることができる。
【図面の簡単な説明】
【００５１】
【図１】本発明（実施の形態１）の保時具を備えたレインウェアの一例概略図
【図２】図１の状態における保持具の拡大断面図
【図３】図１の保持具をメガネに装着する途中の拡大斜視図
【図４】図３の状態における保持具の拡大断面図
【図５】図１の保持具をメガネのブリッジ部とフードの上部内側にて固着完了した状態正面図
【図６】図５の状態における保持具の拡大断面図
【図７】図５の状態を横から見た時の庇部を表す一例状態図
【図８】メガネ不使用時のフードを脱いだ状態を示す背面図
【図９】図８の状態における保持具の拡大断面図
【図１０】図２における保持具の係止部にホックを用いた際の一例拡大正面図
【図１１】図２における保持具の係止部にボタンを用いた際の一例拡大正面図
【図１２】図２における保持具の係止部にベルト部を用いた際の一例拡大断面図
【図１３】図２における保持具の固着部の他の形状を示す一例拡大正面図
【図１４】図５における保持具の保持位置を両アーム部に設けた際の一例拡大斜視図
【図１５】図１４の状態における保持具に弾性紐を用いた際の一例拡大正面図
【図１６】本発明の保時具にクリップ式を用いた際の一例拡大正面図
【図１７】図１６の状態における保持具の拡大断面図
【図１８】従来の自転車用レインウェアのフード一例装着図
【図１９】図１８に示すフードにレインバイザ一を装着した際の一例図
【発明を実施するための形態】
【００５２】
以下、本発明の実施の形態１〜４を、図１〜図１７において説明する。
（実施の形態１）
図１において、１はフード本体部であり、フード開口上部１Ａの内側１Ｃに、本発明であるメガネ保持具２が固着された状態のアウターウェア本体部５の一例を示す全体概略図である。他に、フード本体部１の開口下部１Ｂを調節できる首部３と、フード本体部１をアウターウェア本体部５から取り外すことのできる襟部４と、ポケット部６から構成され、なおポケット部６には本発明に使用されるメガネ７が携帯されている。
【００５３】
使用者はフード本体部１の開口上部１Ａに固着されている保持具２に対し、メガネ７を保持させることで、雨天時の自転車走行等で、フードが風で脱げるのを防ぐと同時に、目元に装着したメガネ７によって目元への雨を防ぐことができる。
【００５４】
ここで、アウターウェアの本体部である５は主にレインウェアであり、レインコート、レインポンチョ、上下に分かれたレインスーツ、つなぎタイプ等がある。その他にウィンドブレーカー、ジャンバー、ブルゾン、コート、パーカー等「フード」を有する衣類でも良い。
【００５５】
更に、コートやパーカー等の雨具以外の衣類に使用される素材、例えば綿、麻、アクリル、レーヨン等を用いることも可能である。その場合日よけなどにも役立ち、海辺で日に焼けぬようサングラスをかけ、パーカーなどを着用する際に役立つ。
【００５６】
また、レインウェア５の前身頃に設けたポケット部６は、面ファスナー又はスナップボタン又はボタン又はファスナー等で開閉可能にすることにより、本発明に用いるアイウェア７を常時携帯することができ、紛失や持ち出し忘れを防ぐことができる。その際ポケットの内側に例として吸水速乾性の素材を使用すれば、濡れたアイウェア７の水滴を吸収し、再び使用する際にも快適である。
【００５７】
次に、この時のメガネ７は、度入り・度なしメガネ、サングラス等の色付きメガネ等があり、主にレンズ部９、ブリッジ部８、アーム部１０によって形成される。
そして目元に装着される「メガネ」は、一般的なものとして目元に最も密着した形状のフレームから成り、メガネの７ブリッジ部８のパッド部分で鼻梁と、両方のアーム部１０で両方のこめかみ部分で保持されている。これによって顔面の中心部と両脇においてメガネ７が確実に固定されることとなり。結果、メガネ７に保持されるフード１が確実に固定され、フードの脱げを防ぐことができる。
【００５８】
本発明のフード保持具２に、世界共通の形状を持ち、昔から広く一般に使用され、近年ではファッション性を向上させるアイテムとして定着したメガネをフードと固定させる事は、フード装着時の見た目の自然さ、コンパクトな携帯性、耐水性、利便性、ファッション性を伴い、老若男女を問わず世界中で幅広い層に効果を発揮する事ができる。
さらに、メガネは大量生産され１００円台からでも入手できる為、雨天時の防雨具としても、ビニール性の傘と同様に気軽に購入でき、従来の防雨具と比較し低コストに抑えることができる。
【００５９】
また、メガネ７の特性として、水洗い出来ること、さらにレンズ９に対して撥水性や曇り止め等を施すことができる為、雨除け効果を向上・持続させることが可能である。さらには、メガネ自体が用途やデザインに豊富な選択肢があり、且つファッション性を向上させるアイテムである事も今までの防雨具にはない特徴である。
【００６０】
また、目元に最も密着した形状により、帽子やバイザーのように風に煽られたり飛ばされる事がない。また、顔全体を覆うバイザーのように鼻部分が覆われておらず、呼吸もスムーズで圧迫感もない。さらに、非常にコンパクトであることから、携帯性にも優れている。更に、フードの形状や大きさ、メガネ７のブリッジ部８の幅やブリッジ部８の底部からレンズ上部までの高さは、概ね世界共通の寸法となっており、世界中の様々なフード付きアウターウェアにおいて本発明の保持具の効果を実施する事ができる。  
【００６１】
また、安全面においても、ツール・ド・フランスで知られるロードレース（主に舗装された道路を自転車で走行しタイムを競う）の選手の多くが、雨天時のレース中においてもヘルメットとともにサングラス等のメガネを装着しており、公的なレースで使用が認められている事からも、雨天着用時の視界の安定性と安全性が保障されていると言える。
【００６２】
図２は図１の状態を示す断面図である。フード本体部１に対し、フード開口上部１Ａの、先端部よりわずか上部の中央内側１Ｅに、保持具２の表面一端部２Ａが縫製や接着によって固着されている。保持具の取り付け位置をフードの先端部より頭頂へ向かって上方に取り付けることよって、フード上部１Ａの先端部とメガネの固着部との間に空間ができ、そこが庇部１Ｄとなり、レンズ部へかかる雨を軽減する事ができる。
【００６３】
また、保持具２の裏面一端部２Ｂに面ファスナーのループ部と裏面他端部２Ｃには面ファスナーのフック部が縫製や接着によって固着されており、互いの固定位置をメガネのフレーム部の形状などによって調節自在で且つ着脱可能に固定することができる。この係止部によって、保持具２の不使用時には、フード内側１Ｃに互いを密着して固定し収納することができるため、保持具が邪魔にならない。また、この時係止部は、面ファスナーの他に、スナップボタン、ホック、マグネット、クリップ、ボタン、ベルト部、等であっても良い。
【００６４】
また、既存のレインウェアに本発明の保持具２を付ける場合は、使用者が図１及び図２と同様に、フード本体１の開口部の上部の中央内側１Ｆにメガネのブリッジ部８を保持させる為の本発明の保持具２を固着させる。もしくは図１４に示す、メガネ７の両アーム部１０をフード本体部１の内側１Ｆに固着させる。またその両方であっても良い。
【００６５】
その時、保持具２の表面一端部２Ａには、使用者が本体に取り付けやすい固着部である必要がある。例えば、ボンドや瞬間接着剤などの接着剤や強力な両面テープによるもの、また、アイロン等の熱を利用して固定するものや、取り外すことのできる面ファスナーにしても良い。なお、裏面２Ｂにはあらかじめ、面ファスナー等の係止部が図２のように、縫製や接着などによって固着されている。こちらも前述のように着脱可能に互いを固定できるものであれば良い。また、その時保持具２は、雨に濡れることを想定し、アウターウェアやフードと同素材を用いることが好ましく、主にレインウェアの材質に多いナイロン、ポリエステル、ポリウレタン等である。本発明の単体の保持具により、従来のレインウェア等の様々なフード付き衣類にて本発明の防風雨対策を実施する事ができる。
【００６６】
図３は、前記に説明した係止部２Ｂと２Ｃを備えた保持具２によって、目元に装着されるメガネ７が保持される途中図であり、メガネ７のブリッジ部８に保持具２を前方から巻き付けるようにして保持させる。使用者は、まずレインウェアを着用し、次にフードの開口上部を前方へ引き出し、中央部に固着されている保持具をメガネのブリッジ部に巻きつけて固定する。そのまま目元へメガネを装着すれば、フードが自然と頭部に被着される。
【００６７】
図４はこの時の状態を示す断面図であり、フード本体部１の上部中央内側１Ｃに固着された保持具２の裏面２Ｃへ向かって使用者の指１１により固定される途中図である。
【００６８】
図５は、フード本体部１に固着された保持具２によって、視界を妨げる事なく眉間の前方から包み込むようにメガネのブリッジ部８を保持した後、フード上部１Ａの内側１Ｃにおいて、保持具２の一端部２Ｂと他端部２Ｃが面ファスナーによって互いに密着接合した後、メガネ７のアーム部１０を耳元で保持する事でメガネ７が目元に装着された際の状態斜視図である。  
【００６９】
この時、保持具２がメガネ７のブリッジ部８で保持されることによって、フード上部１Ａの内側１Ｃにメガネ７の両レンズ部９の上部９Ａが、わずかにフード内側に収まるため、雨はフード１とメガネの両レンズ部９に遮られ、頭部からレンズの下部９Ｂに至るまで雨に濡れることがなくなる。レンズ部の大きいものであれば、より目元に対する防雨範囲が広くなる。
【００７０】
また、保持具２を目と目の間に位置するブリッジ部８で保持する事は、視界を妨げないだけでなく、フードとメガネを固定する際にも、ブリッジ部がメガネの構成上目線を遮らない目元の上部に位置し、面ファスナー等によって確実に固定されるため、レンズの上部をわずかにフードの内側に入れ確実に防雨効果を果たしながらも、視界にまでフードが落ちてくる事はない。そのため、良好な視界を確保することが可能となる。さらに、ブリッジ部は両方のレンズ部によって挟まれていることから、左右にずれることなく確実に固定される利点もある。
【００７１】
また、保持具２がフード開口上部１Ａを固定し、フード開口下部１Ｂが首部３において固定されているため、フード本体部１の開口部に対する風の抵抗を減らす補助的役割を果たし、フードの脱げを防止する効果をさらに上げることができる。
【００７２】
図６はこの時の状態を示す断面図である。
【００７３】
図７は、図５に示す状態を真横から捉えた図である。フード本体部１の開口上部１Ａの内側１Ｃの上方である中央部１Ｅに保持具２を縫製または接着によって固着させることで、フード本体部１の先端にわずかに庇部１Ｄを形成していることがわかる。これによって、直接メガネ７のレンズ部９へかかる雨を減らすことができる。
【００７４】
図８は、フード本体部１からメガネ７を外し、フードを脱いだ際の背面図であり、フード本体部１の内側１Ｃに保持具が収納され、フード本体１の表面からは保持具２が取り付けられているのが見えず、フードの外観を損ねていないことがわかる。図９はこの時の状態を示す断面図であり、保持具２が係止部に縫製または接着によって固着された面ファスナー２Ｂと２Ｃによって密着結合し、フード内側１Ｃ内に収まるように調節して固定されており、フードの外観だけでなく、フード内側においても目立たず、邪魔にならない。
【００７５】
図１０〜図１２は、保持具２の一端部と他端部に、他の係止部を設けた際の一例を示す拡大正面図である。その他にも、ホック、マグネット等、着脱可能な係止部であれば良い。図１０は、フード内側１Ｃにおいて、保持具２の裏面一端部２Ｄにスナップボタンの凹部と、他端部２Ｅにはスナップボタンの凸部によって、調節可能に固定するための複数個の係止部が縫製等によって固着されている。
【００７６】
図１１は、フード内側１Ｃにおいて、保持具２の裏面一端部２Ｆにボタンが縫製等によって固着され、他端部２Ｇにはボタンホールが複数個設けてあり、保持具２の係止部を調節可能に固定する。
【００７７】
図１２は、フード内側１Ｃにおいて、保持具２がシリコン製やゴム性、革製などの滑りにくい素材を使用し、フード本体１の内側１Ｃに固定されたベルト部２Ｈの一端部に設けられた固定部へ向かって、他端部を滑り込ませるようにして調節可能に固定するものである。なお、ベルト部２Ｈであれば、一端部を輪の中に通す仕組みであるため、限りなく細い形状であっても固定が可能である。
【００７８】
図１３は、保持具２のフード本体部１の内側１Ｃに対する表面固着部２Ａの他の形状を示す一例図である。フード本体部１に対する保持具２の接地面を大きくし、横幅を広く設けることでよりフード本体部１に対する固定部を強化するためのものである。
【００７９】
（実施の形態２）
図１４は、フード本体部１の内側１Ｆに対して、メガネのアーム部１０を保持する際の装着時の状態を示すものである。これによって、フードが、視界を妨げることのなく目元二箇所において固定されることとなる。またこの他に、図５のようにブリッジ部を固定した後、両アーム部を固定すれば、フードが顔面の三箇所において固定されることとなり、より強力にフード本体部１への固定することができる。
【００８０】
図１５は、図１４に示す保持具２に、ゴム等の弾性紐を使用し、ループ状にフードの内側１Ｃに縫製などで固着させており、メガネの７の両アーム部をループの中に通すだけで固定することができる。保持具２がゴム等の弾性紐であれば、メガネのアーム部１０の太さ等に対応することが可能である。また、ゴムの他にはシリコンやラバー素材等でも良い。
【００８１】
（実施の形態３）  
図１６は、フード本体部１の上部の外側と内側を、クリップ式２２に前記フードを挟んで保持する第一保持部２０と、前記第一保持部２０の裏側に接続部２３を設け、その先に、メガネ７のレンズ部９Ａの前面と裏面とをクリップ式２２に挟んで保持する第二保持部２１を備えた、フード用メガネ保持具２の別の形態である一例を示す装着図である。この保持具２は、フード１とメガネ７に対する保持部をクリップ式にすることで、フードに保持具２を固着することなく、不使用時にはフード本体部１から完全に取り外しておくことができる。
【００８２】
図１７は、図１６の断面図であり、第一保持部２０は、下方部の両端を指で押すと上方が開いてフード１を挟むことのできるクリップ式２２の一例である。また、第二保持部２１の上方には、指で押すと下方が開き、メガネ７のレンズ部９Ａの前面と裏面を挟んで固定することのできるクリップ式２２の一例となっている。この時、保持部２０と２１はシリコン性やラバー性等の、フードやレンズを傷つず、滑らずに固定することのできるものであるのが良い。
また、フード１の上部を第一保持部２０が保持し、第二保持部２１をフード内側１Ｃに保持する際の接続部２３で庇部１Ｄを形成するために、第一保持部２０と第二保持部２１の針金や金属製でできた接続部２３の間に、わずかに距離を設けている。また、第一保持部２０の形状は、フード１の上部を保持すればよく、保持部２０の形状が、それぞれメガネのレンズ部９の上を分裂して保持するものであっても良い。また、第二保持部２１が、メガネ７のブリッジ部８を保持するものでも良い。
【００８３】
以上によって、フード自体に防雨機能のない従来のレインウェアに対しても、本発明による保持具２の一例に示すように様々な実施形態によって、本発明の効果を実施することができ、また使用者はそれによってデザインや機能性等自分の好みに合ったレインウェアを選択することができ、購入時の選択肢を拡げることができる。
【００８４】
また、生産者側にとっても本発明のフード用メガネ保持具及び保持具付きフードを備えたアウターウェアは、どちらも保持具が単純な構成且つ取り付けに簡単で、アウターウェア製造時の端材や部材によって製造できるため、非常に低コストで自社製品の改良を実施できる。さらに保持具単体の場合は、形状が非常に小さく軽量であり、量産向きで、配送や保管等の面でも非常に優れている。それらの利点とレインウェアの需要が世界中にあることを鑑みて、世界中のフード付きアウターウェアにおいて、従来の不便さを解決し「新しいフードのスタイル」を築くものである。
【符号の説明】
【００８５】
１  フード本体部  
１Ａ  フード開口上部
１Ｂ  フード開口下部
１Ｃ  フード内側
１Ｄ  庇部
１Ｅ  保持具固着部
１Ｆ  アーム部保持用固着部
２  メガネ保持具
２Ａ  保持具表面固着部
２Ｂ  保持具裏面係止部（面ファスナーループ部）
２Ｃ  保持具裏面係止部（面ファスナーフック部）
２Ｄ  保持具裏面係止部（スナップボタン凹部）
２Ｅ  保持具裏面係止部（スナップボタン凸部）
２Ｆ  保持具裏面係止部（ボタン部）
２Ｇ  保持具裏面係止部（ボタンホール部）
２Ｅ  保持具裏面係止部（ベルト部）
３  首部
４  襟部
５  レインウェア本体部
６  ポケット部
７  メガネ
８  ブリッジ部
９  レンズ部
１０  アーム部
１１  後頭部
１２  指
２０  第一保持部
２１  第二保持部
２２  クリップ式
２３  接続部
【図１】
2018188766.tif 000003
【図２】
2018188766.tif 000004
【図３】
2018188766.tif 000005
【図４】
2018188766.tif 000006
【図５】
2018188766.tif 000007
【図６】
2018188766.tif 000008
【図７】
2018188766.tif 000009
【図８】
2018188766.tif 000010
【図９】
2018188766.tif 000011
【図１０】
2018188766.tif 000012
【図１１】
2018188766.tif 000013
【図１２】
2018188766.tif 000014
【図１３】
2018188766.tif 000015
【図１４】
2018188766.tif 000016
【図１５】
2018188766.tif 000017
【図１６】
2018188766.tif 000018
【図１７】
2018188766.tif 000019
【図１８】
2018188766.tif 000020
【図１９】
2018188766.tif 000021
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
前面に顔を露出する為の開口部を有する本体部と、目元に装着され、レ      ンズ部・ブリッジ部・アーム部を有し鼻梁と両耳に保持されるメガネの前記ブリッジ部を前記開口部の上部内側において前記レンズ部の上部が収まるように保持する為の帯状または紐状の保持具とを備え、前記メガネ用保持具の一端部の表面が、前記本体部の前記開口部の前記上部内側に固着される又は着脱可能に取付けられ、前記保持具を前記ブリッジ部にループ状に巻きつけるように保持させ、前記保持具の前記一端部と他端部の裏面を着脱可能に係止させることを特徴とするフード。
【請求項２】
前面に顔を露出する為の開口部を有する本体部と、目元に装着され、レ      ンズ部・ブリッジ部・アーム部を有し鼻梁と両耳に保持されるメガネの前記アーム部２箇所を前記開口部の上部内側2カ所において保持し、前記レンズ部の上部が収まるように保持する為の帯状または紐状の保持具とを備え、前記メガネ用保持具の一端部の表面が、前記本体部の前記開口部の前記上部内側２箇所に固着される又は着脱可能に取付けられ、前記保持具を前記アーム部２箇所にループ状に巻きつけるように保持させ、前記保持具の前記一端部と他端部の裏面を着脱可能に係止させることを特徴とするフード。
【請求項３】
請求項１、２記載のフードを備えてなるアウターウェア。
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
前面に顔を露出する為の開口部を有する本体部と、目元に装着され、レンズ部・ブリッジ部・アーム部を有し鼻梁と両耳に保持されるメガネの前記ブリッジ部を前記開口部の上部内側において前記レンズ部の上部が収まるように保持する為の帯状または紐状の保持具とを備え、前記メガネ用保持具の一端部の表面が、前記本体部の前記開口部の前記上部内側に固着される又は着脱可能に取付けられ、前記保持具を前記ブリッジ部にループ状に巻きつけるように保持させ、前記保持具の前記一端部と他端部の裏面を着脱可能に係止させることを特徴とするフード。
【請求項２】
前面に顔を露出する為の開口部を有する本体部と、目元に装着され、レンズ部・ブリッジ部・アーム部を有し鼻梁と両耳に保持されるメガネの前記アーム部２箇所を前記開口部の上部内側2カ所において保持し、前記レンズ部の上部が収まるように保持する為の帯状または紐状の保持具とを備え、前記メガネ用保持具の一端部の表面が、前記本体部の前記開口部の前記上部内側２箇所に固着される又は着脱可能に取付けられ、前記保持具を前記アーム部２箇所にループ状に巻きつけるように保持させ、前記保持具の前記一端部と他端部の裏面を着脱可能に係止させることを特徴とするフード。
【請求項３】
請求項１又は２に記載のフードを備えてなるアウターウェア。